(57)【要約】【課題】サングラス等の眼鏡をかけ替えることなく容易に視界を比較でき、瞬時に他の特性のレンズを通した視界との差異を簡易に比較できる眼鏡レンズ用レンズホルダーを提供する。【解決手段】複数の左右の眼鏡レンズ１０ａ、１０ｂ、１０ｃ、１０ｄを、各々の左右の眼鏡レンズ１０ａ、１０ｂ、１０ｃ、１０ｄを通した視界を視認可能に保持する眼鏡レンズ用レンズホルダー１であって、左右の眼鏡レンズを眼鏡フレームへの取り付け時と同じ間隔で保持するレンズ保持部３が、複数連続して設けられている。【選択図】図１
0003214462.tif 000002
【実用新案登録請求の範囲】
【請求項１】
複数の左右の眼鏡レンズを、各々の前記左右の眼鏡レンズを通した視界を視認可能に保持する眼鏡レンズ用レンズホルダーであって、
左右の眼鏡レンズを眼鏡フレームへの取り付け時と同じ間隔で保持するレンズ保持部が、複数連続して設けられていることを特徴とする、眼鏡レンズ用レンズホルダー。
【請求項２】
前記レンズ保持部は、前記眼鏡レンズを着脱自在に保持することを特徴とする、請求項１に記載の眼鏡レンズ用レンズホルダー。
【請求項３】
前記レンズ保持部が、上下方向に連続して設けられていることを特徴とする、請求項１または２のいずれか一項に記載の眼鏡レンズ用レンズホルダー。
【請求項４】
前記レンズ保持部が、左右方向に連続して設けられていることを特徴とする、請求項１または２のいずれか一項に記載の眼鏡レンズ用レンズホルダー。
【請求項５】
複数の前記レンズ保持部は、前記眼鏡レンズの外周部を載置する載置部が設けられた枠体と、前記載置部の位置に対応して前記眼鏡レンズよりも小さい開口が形成されたカバー体とを重ね合わせて形成されることを特徴とする、請求項１〜４のいずれか一項に記載の眼鏡レンズ用レンズホルダー。
【請求項６】
前記枠体と前記カバー体とが着脱自在であることを特徴とする、請求項５に記載の眼鏡レンズ用レンズホルダー。
【請求項７】
前記眼鏡レンズがカラーレンズであることを特徴とする、請求項１〜６のいずれか一項に記載の眼鏡レンズ用レンズホルダー。
【考案の詳細な説明】
【技術分野】
【０００１】
本考案は、サングラスや視力矯正用の眼鏡購入時等に、異なる種類の眼鏡レンズを通した視界の差異を比較するために用いられる眼鏡レンズ用レンズホルダーに関するものである。
【背景技術】
【０００２】
例えばサングラス等のカラーレンズ付き眼鏡を購入する場合、従来、ユーザーの多くは、ファッション性を重視してレンズの色を選んでいる。すなわち、サングラスの外観としてのレンズの色や実際にカラーレンズを通して見た感じ、あるいは、自分の肌色に合ったレンズの色を選択している。
【０００３】
カラーレンズを選択する方法としては、実際に店頭のサングラスをかけた自分を鏡に映す方法が一般的である。あるいは、例えば特許文献１には、コンピュータに顔画像を取り込み、ディスプレイの画面上で、眼鏡フレームのレンズ部を着色領域として、コンピュータに登録した色彩から各種着色レンズを模擬し、好みの眼鏡を選択する方法が開示されている。
【０００４】
ところが、レンズの外観やコンピュータのディスプレイ画面上でレンズの色を見るだけでは、そのレンズを通して見る視界の色は判別できない。視界がどのように見えるかということは、従来、あまり問題にされていなかったが、視界色の違いは、例えばインテリアや照明の色等と同様に、精神状態や行動に影響を及ぼす可能性があると考えられ、今後、カラーレンズを選ぶ際の重要なファクターになり得る。
【０００５】
カラーレンズを通して見る視界の色を比較する方法としては、現状では、店頭のサングラスを試着するのが一般的である。その他、眼鏡販売店や眼科診療所等で一般に視力矯正用眼鏡のレンズを調整する際に用いられてきた、レンズを外から出し入れできる検眼枠を装着し、複数のレンズを検眼枠に順次出し入れする方法がある。
【先行技術文献】
【特許文献】
【０００６】
【特許文献１】特開平１１−３５３３５３号公報
【考案の概要】
【考案が解決しようとする課題】
【０００７】
しかしながら、店頭でフレーム付きのサングラスをかけ替えたり検眼枠を用いたりしてレンズを通した視界を比較するのは極めて面倒である。また、人間の脳は、新しいレンズを入れた瞬間はその色の特性を意識できるが、その視界色に即座に慣れてしまうため、サングラスをかけ替えたり、検眼枠にレンズを入れ換えたりする際、一旦レンズが外されるわずか数秒間のタイムラグで、前のレンズによる視界色の記憶が薄れてしまう。そのため、このような方法では、各々のレンズの特性を比較しにくい。
【０００８】
このように、従来、サングラス等の眼鏡をかけ替えることなく容易に視界を比較できる手段や、瞬時に他の特性のレンズを通した視界との差異を簡易に比較できるツールは存在しなかった。
【課題を解決するための手段】
【０００９】
上記問題を解決するため、本考案は、複数の左右の眼鏡レンズを、各々の前記左右の眼鏡レンズを通した視界を視認可能に保持する眼鏡レンズ用レンズホルダーであって、左右の眼鏡レンズを眼鏡フレームへの取り付け時と同じ間隔で保持するレンズ保持部が、複数連続して設けられていることを特徴とする、眼鏡レンズ用レンズホルダーを提供する。
【００１０】
前記レンズ保持部は、前記眼鏡レンズを着脱自在に保持することが好ましい。
【００１１】
前記レンズ保持部が、上下方向に連続して設けられていてもよい。あるいは、前記レンズ保持部が、左右方向に連続して設けられていてもよい。
【００１２】
複数の前記レンズ保持部は、前記眼鏡レンズの外周部を載置する載置部が設けられた枠体と、前記載置部の位置に対応して前記眼鏡レンズよりも小さい開口が形成されたカバー体とを重ね合わせて形成されてもよい。その際、前記枠体と前記カバー体とが着脱自在でもよい。なお、着脱自在とする具体的な手段は、例えば別体の枠体とカバー体とを磁石やねじ、クリップ、面ファスナー等で重ね合わせる方法、あるいは枠体とカバー体とをヒンジで連結する方法等がある。
【００１３】
前記眼鏡レンズがカラーレンズでもよい。
【考案の効果】
【００１４】
本考案によれば、複数のレンズの中から瞬時に他の種類のレンズを通した視界との差異を比較することができ、容易にレンズの選択ができるようになる。
【図面の簡単な説明】
【００１５】
【図１】本考案の一実施形態にかかるレンズホルダーの正面図である。
【図２】図１のレンズホルダーの枠体の分解斜視図である。
【図３】図１のレンズホルダーの枠体の異なる実施形態を示す斜視図である。
【図４】本考案の異なる実施形態にかかるレンズホルダーの正面図である。
【図５】本考案のさらに異なる実施形態にかかるレンズホルダーの正面図である。
【図６】本考案のレンズホルダーの使用方法の説明図であり、（ａ）は図１の実施形態、（ｂ）は図５の実施形態の使用方法である。
【図７】本考案のさらに異なる実施形態にかかるレンズホルダーの正面図であり、（ａ）は使用時、（ｂ）は待機時の状態を示す。
【考案を実施するための形態】
【００１６】
以下、本考案の実施の形態を、図を参照して説明する。なお、本明細書および図面において、実質的に同一の機能構成を有する要素においては、同一の符号を付することにより重複説明を省略する。
【００１７】
図１は、本考案の実施の形態にかかる眼鏡レンズ用レンズホルダーの一例を示し、レンズホルダー１にそれぞれ異なる種類のレンズ１０ａ、１０ｂ、１０ｃ、１０ｄが左右一対ずつ保持されている状態を示している。なお、左右の１０ａと１０ａ、１０ｂと１０ｂ、１０ｃと１０ｃ、１０ｄと１０ｄが、それぞれ一対の眼鏡レンズである。レンズ１０ａ、１０ｂ、１０ｃ、１０ｄは、例えばサングラスに用いられるカラーレンズであり、色合いを有し視力矯正力の無いレンズの他、色合いを有しない視力矯正力のあるレンズの場合も含む。
【００１８】
この実施の形態の眼鏡レンズ用レンズホルダー１は、略長方形の本体２に、例えば各々色が異なる４組の左右の眼鏡レンズ１０ａ、１０ｂ、１０ｃ、１０ｄが縦方向に連続して保持されるように、複数のレンズ保持部３が設けられている。このレンズ保持部３は、同じ種類の左右のレンズ１０が、眼鏡フレームに取り付けられる際と同程度の間隔、すなわちヒトの眼の間隔とほぼ同じ間隔にそれぞれ保持されるようになっている。そして、上下方向に複数のレンズ保持部３が連続して設けられている。各レンズ保持部３は、レンズ１０の外周部のみを支持し、レンズ１０よりも直径が小さいサイズの開口が、本体２の厚さ方向に貫通している。これにより、本体２に取り付けられたそれぞれのレンズ１０ａ、１０ｂ、１０ｃ、１０ｄの位置を左右の目の前に配置することで、そのレンズ１０を通した視界が視認できる。複数のレンズ保持部３同士の間に僅かな間隔を開けてもよいが、なるべく、異なる種類のレンズ１０ａと１０ｂ、１０ｂと１０ｃ、１０ｃと１０ｄが近接して配置されるようにすることが好ましい。
【００１９】
図２は、本体２の一例を示す。本体２は例えばプラスチック製であり、図２に示すように、枠体１１とカバー体１２とを有している。枠体１１にはレンズ載置部１３が設けられている。レンズ載置部１３には、レンズホルダー１の使用時の外面側に設けられたレンズ１０よりも直径が小さい開口１３’と、内面側に設けられたレンズ１０がちょうど入る大きさの開口との境界に、レンズ１０の外周部が載置される載置台１４が形成されている。また、カバー体１２には、枠体１１のレンズ載置部１３の位置に対応して、レンズ１０よりも直径が小さい開口１５が形成されている。この開口１５は、枠体１１の外面側の開口１３’と同程度の大きさであり、レンズ１０が抜け出さないようにレンズ１０の外周部を抑える程度で、且つレンズ１０を通した視界が視認できる大きさであればよい。枠体１１とカバー体１２とは、例えば四隅付近に設けられた磁石１６同士の吸着によって重ね合わされ、これによってレンズ保持部３が形成される。枠体１１とカバー体１２との着脱手段は、磁石の他にねじやクリップ、面ファスナー等、任意の手段でよく、容易に着脱できるものが好ましい。これによって、所望するレンズ１０を自在に取り替えることができる。なお、本考案で用いられるレンズ１０の寸法は、概ねΦ６５ｍｍ〜８０ｍｍ程度である。
【００２０】
また、本体２は、例えば図３に示すように、枠体１１とカバー体１２とがヒンジ等でつながったものを折りたたむ方式でもよい。この場合も、枠体１１とカバー体１２のそれぞれの構造は図２の形態と同様であり、重ね合わせる部分に同様の着脱手段が設けられてもよい。
【００２１】
レンズホルダー１には、図４に示す実施の形態のように、本体２の左右両側に把手部４が設けられてもよい。使用者は、把手部４を握って、レンズ１０が目の前に位置するように本体２を持ち上げる。把手部４には、例えば図４に示すように大きさが異なる穴１７が複数設けられ、使用者がいずれかの穴１７に指を掛けて把手部４を持つようにしてもよい。また、使用しないときには、本体２をスタンド５に挟み込んで、店頭のディスプレイ台に置いたり、あるいはスタンド５を壁に取り付けてもよい。
【００２２】
図５は、レンズホルダーの異なる実施形態の例を示し、レンズホルダー１にそれぞれ異なる種類の左右のレンズ１０ａ、１０ｂ、１０ｃが保持されている状態を示している。このレンズホルダー２１は、横方向に長い本体２２を有し、各々色や種類が異なる３組の左右のレンズ１０ａ、１０ｂ、１０ｃが、左右方向に連続して保持されるように、複数のレンズ保持部３が設けられている。このレンズ保持部３は、同じ種類の左右のレンズ１０が通常眼鏡フレームに取り付けられる際と同程度の間隔に保持されるようになっている。そして、左右方向に３つのレンズ保持部３が連続して設けられている。レンズ保持部３の左右方向中央の下端側には、鼻の位置に合わせることができる窪み部２３が形成されている。また、色や種類が異なる他のレンズ１０を取り付けるレンズ保持部３同士は、なるべく近接し、好ましくはレンズ１０同士が連続して取り付けられているように配置されている。また、本体２２の左右両端部に、把手部２４を設けてもよい。レンズ保持部３の構造は、図２または図３と同様にすればよい。
【００２３】
図６は、上述のレンズホルダー１、２１の使用方法を説明する概略図である。図６（ａ）は、図１に示す縦型のレンズホルダー１を使用している状態を示し、顧客が自分で本体２を持って上下に移動させ、色が異なる各レンズ１０ａ、１０ｂ、１０ｃ、１０ｄを順次目の前に位置させて、それぞれのレンズ１０ａ、１０ｂ、１０ｃ、１０ｄを通した視界を比較することができる。４種類のレンズ１０ａ、１０ｂ、１０ｃ、１０ｄが上下に連続して取り付けられているので、瞬時に他のレンズとの視界の比較を行うことができる。また、図６（ｂ）は、図５に示す横型のレンズホルダー２１を使用している状態を示し、顧客が自分で本体２２を持って左右に移動させ、各レンズ１０ａ、１０ｂ、１０ｃを順次目の前に位置させて、それぞれのレンズ１０ａ、１０ｂ、１０ｃを通した視界を比較することができる。この本体２２には鼻の位置に合わせる窪み部２３が設けられているので、鼻が邪魔することなくレンズ１０を目の位置に近づけることができる。つまり、実際に眼鏡をかけるときと同じ位置にレンズを近づけることができるので、より実際の眼鏡やサングラスに近い状態で視界の比較を行うことができる。
【００２４】
なお、以上の実施形態では、サングラス用カラーレンズの色を比較するものとしたが、本考案はレンズの色を比較するものには限らず、視力矯正等のレンズの種類や、レンズ加工の効果等を比較する際にも適用できる。
【００２５】
本考案によれば、色や種類が異なるレンズを目の前で瞬時に切り替えることができ、レンズを通していない状態の視界が途中で入り込むことがほとんどないので、前のレンズの視界の記憶が無くなる前に、次のレンズの視界との比較ができる。したがって、例えば近い色のレンズの微妙な違いも体感することができる。また、レンズの外観およびレンズを通した視界の両方を簡単に確認できるので、好みに応じたレンズを選びやすくなる。
【００２６】
さらに、レンズの交換が容易に行えるので、多くの種類のレンズを比較することができる。したがって、顧客は、簡単な方法で十分な比較検討を行ってレンズを選ぶことができる。一方、店側としては、安価な材料で手軽に実施可能な本考案により、フレーム付きの眼鏡サンプルを多数用意しなくても済むようになる。
【００２７】
また、店側は様々な種類のレンズの特性を説明しやすくなり、顧客は十分に納得して購入することができるため、販売後の返品やクレームが減少するうえ、顧客にとっても安心感や納得感が得られる。
【００２８】
以上、本考案の好適な実施形態について説明したが、本考案はかかる例に限定されない。当業者であれば、実用新案登録請求の範囲に記載された技術的思想の範疇内において、各種の変更例または修正例に想到しうることは明らかであり、それらについても当然に本考案の技術的範囲に属するものと了解される。
【００２９】
例えば、本体は上記実施形態に示したような矩形のものに限らず、図７に示すように、棒状のレンズ保持部３２を複数備えたレンズホルダー３１でもよい。これらのレンズ保持部３２は、左右のレンズ１０を挟んで保持できるようになっており、レンズ保持部３２の一端は基部３３に支持されている。レンズ１０を通した視界の比較を行う際には、例えば基部３３を手に持ってレンズホルダー３１を図７（ａ）に示すように回転させて、それぞれのレンズ１０を順次目の前に位置させる。また、使用時以外は、図７（ｂ）に示すように、基部３３をスタンドとして、ディスプレイ台９に置いておき、顧客が自由に使用できるようにしておくこともできる。また、各レンズ保持部３２を扇子のように畳むこともできる。
【００３０】
その他、例えば複数種類のレンズを一列に並べるような一本の棒状のレンズ保持部であってもよい。また、本考案の１つの眼鏡レンズ用レンズホルダーに取付可能なレンズの種類は、上記実施形態で示した３組または４組に限ることはなく、２組または５組以上であってもよい。
【産業上の利用可能性】
【００３１】
本考案は、色や種類等が異なる眼鏡用のレンズを通した視界を比較する際に適用できる。
【符号の説明】
【００３２】
１、２１、３１  レンズホルダー
２、２２  本体
３、３２  レンズ保持部
４、２４  把手部
５    スタンド
１０、１０ａ、１０ｂ、１０ｃ、１０ｄ  レンズ
１１  枠体
１２  カバー体
１３  載置部
１４  載置台
１５  開口
１６  磁石
【図１】
0003214462.tif 000003
【図２】
0003214462.tif 000004
【図３】
0003214462.tif 000005
【図４】
0003214462.tif 000006
【図５】
0003214462.tif 000007
【図６】
0003214462.tif 000008
【図７】
0003214462.tif 000009